(57)【要約】【課題】小形のシリンダ錠にも適用でき、しかも構造が簡単なクリック機構を提供する。【解決手段】シリンダ錠の外筒１前端開口を縮径して段部を形成し、一方、内筒を前端のキーガイド３とタンブラー支持部４とに分離すると共に、キーガイドに外筒の縮径部と嵌合する小径部と、タンブラー支持部と同径の大径部とを形成し、キーガイドの大径部前端面に少なくとも１個のクリック凸部を突設する一方、キーガイドの大径部前端面と摺接する外筒段部にクリック凹部を形成し、他方、キーガイド３を波形ワッシャー７により前方に付勢する。【選択図】  図２
2004278015.tif 000002
【特許請求の範囲】
【請求項１】
シリンダ錠の外筒前端開口を縮径して段部を形成し、一方、内筒を前端のキーガイドとタンブラー支持部とに分離すると共に、キーガイドに外筒の縮径部と嵌合する小径部と、タンブラー支持部と同径の大径部とを形成し、キーガイドの大径部前端面に少なくとも１個のクリック凸部を突設する一方、キーガイドの大径部前端面と摺接する外筒段部にクリック凹部を形成し、他方、キーガイドを波形ワッシャーにより前方に付勢したことを特徴とするシリンダ錠のクリック機構。
【請求項２】
上記波形ワッシャーをキーガイドとタンブラー支持部との間に弾装したことを特徴とする請求項１記載のシリンダ錠のクリック機構。
【発明の詳細な説明】
【０００１】
【発明が属する技術分野】
この発明は、シリンダ錠のクリック機構（以下単にクリック機構という）に係り、特に、小形のシリンダ錠にも適用でき、しかも構造が簡単なクリック機構に関する。
【０００２】
【従来の技術】
シリンダ錠を合鍵で施解錠操作する場合、内筒の施錠角度位置、或いは解錠角度位置においてクリック装置が作動してカチンという作動感を感知すると、確実な操作感が得られ、使い勝手が良い。
【０００３】
一方、シリンダ錠にはレバータンブラー錠、ピンタンブラー錠或いはディスクタンブラー錠等種々の形式のものがあるが、原理上クリック感が自然に生じるものはレバータンブラー錠のみであり、他のシリンダ錠の場合には別個にクリック機構を組込まなければならない。
【０００４】
このクリック機構は、例えばシリンダ錠の外筒前端部にこれを半径方向に貫通するクリック孔を形成し、このクリック孔中に、内側から順に、クリックボール、例えば圧縮コイルばねによるクリックばね及びクリック孔の外側の開口を閉塞する蓋部材を充填する。
【０００５】
これに対応して、内筒のキーガイドの所定の角度位置における外周面に、上記クリックボールが落込む凹陥部を形成し、内筒の所定の角度位置においてクリックボールがこの凹陥部に落込むことを利用してクリック感を呈するようにしている。
【０００６】
【発明が解決しようとする課題】
上記した従来のクリック機構は、構造が比較的複雑である上、例えば机の引出しの錠前等寸法が小さいシリンダ錠には組込み難い等、未だ改良の余地がある。
【０００７】
そこで、この発明は、小形のシリンダ錠にも適用でき、しかも構造が簡単なクリック機構を提供することを目的としている。
【０００８】
【課題を解決するための手段】
上記の目的を達成するため、請求項１に記載の発明は、シリンダ錠の外筒前端開口を縮径して段部を形成し、一方、内筒を前端のキーガイドとタンブラー支持部とに分離すると共に、キーガイドに外筒の縮径部と嵌合する小径部と、タンブラー支持部と同径の大径部とを形成し、キーガイドの大径部前端面に少なくとも１個のクリック凸部を突設する一方、キーガイドの大径部前端面と摺接する外筒段部にクリック凹部を形成し、他方、キーガイドを波形ワッシャーにより前方に付勢したことを特徴とする。
【０００９】
また、請求項２に記載の発明は、上記波形ワッシャーをキーガイドとタンブラー支持部との間に弾装したことを特徴とする。
【００１０】
【実施例】
以下、この発明の実施例を図面を参照して説明する。
図１において符号１はシリンダ錠の外筒を示し、この場合、シリンダ錠としてはピンシリンダ錠、レバータンブラーシリンダ錠、或いはディスクタンブラーシリンダ錠等何れの形式のシリンダ錠でもよい。
【００１１】
この外筒１の前端（図１で左端）の開口は縮径され、すなわち小径とされ、その為外筒１の前端部内側には段部２が形成されている。
【００１２】
一方、通常のシリンダ錠では内筒のキーガイドとタンブラー支持部とは一体に結合されているが、この発明においては、図２に示すように、キーガイド３とタンブラー支持部４とは分離されている。
【００１３】
上記キーガイド３は、図２及び図３に示すように、外筒の縮径部と嵌合する小径部３ａと、タンブラー支持部４と同径の大径部３ｂとが形成されている。
【００１４】
上記大径部３ｂの前端面には、図３に示すように、少なくとも１個のクリック凸部５が突設されている。
【００１５】
これに対応して、キーガイドの大径部前端面と摺接する外筒段部には、図１に示すように、上記クリック凸部５と係合するクリック凹部６が形成されている。
【００１６】
なお、上記クリック凸部５は通常射出成形により、クリック凹部６の形成はドリル加工により、夫々容易に成形することができる。
【００１７】
なお、これは言う迄もないことであるが、上記クリック凸部５及び凹部６は外筒半径方向において同じ位置にあり、また、シリンダ錠の施錠角度位置及び解錠角度位置において両者が相互に係合し、クリック感が生じるように両者の形成位置が定められているものとする。
【００１８】
上記したこの発明の一実施例によるクリック機構の各構成要素は、図２に示すように、外筒１の内筒部に、その前端から順に、キーガイド３、それ自体公知の波形ワッシャー７、例えば浅いカップ錠の押え板８及びＣリング等の止め輪９により、キーガイド３がタンブラー支持部４とは独立に回動できるように支持、案内されている。
【００１９】
加えて、これらの後にタンブラー支持部４が外筒内に充填され、例えばＥ−リング等の止め輪９によって内筒の抜け止めが施され、シリンダ錠が組立てられる。
【００２０】
上記のように構成されたこの発明の一実施例によるクリック機構を組込んだシリンダ錠は、鍵孔に合鍵１１（図２参照）を挿入したときには、この合鍵１１を介してキーガイド３及びタンブラー支持部４は一体に連結されるから、そのシリンダ錠としての作動はキーガイドとタンブラー支持部が一体に結合された従来のものと何等変りはない。
【００２１】
一方、波形ワッシャー７の弾力はキーガイド３と押え板８との間でこれらの間隔を広げる方向に作用するので、キーガイド３は外筒の段部２に弾圧された状態でこれに摺接して回転し、例えば施解錠角度位置においてキーガイド３のクリック凸部５が外筒段部のクリック凹部６に落込んでこれに係合し、このとき合鍵１１を操作する手指にクリック感を呈する。
【００２２】
なお、この発明の図示の実施例に限定されることなく、種々に変形して実施することができる。例えば、図示の実施例ではキーガイド及び波形ワッシャーを固定された外筒段部と押え板８との挟み込んで使用するものとしたが、要するに波形ワッシャーがキーガイドに弾力を及ぼすことができる形態であれば、押え板を設けることを要しない。
【００２３】
【発明の効果】
以上の説明から明らかなように、この発明は、通常は一体のキーガイドとタンブラー支持部とを軸方向において分離し、これらの間に波形ワッシャーを弾装すると共に、キーガイドの大径部前端面にクリック凸部を、外筒段部にクリック凹部を形成し、これらによってクリック機構を構成するようにしたので、全く新しい構成によるクリック機構を得ることができる。
【００２４】
また、内筒のキーガイド或いはタンブラー支持部が回動するときには、両者は必ず合鍵を介して一体に連結され、夫々独立に回動することはないから、内筒をキーガイドとタンブラー支持部とに分離してもシリンダ錠としての作動に何等悪影響を及ぼすことはない、等種々の効果を奏する。
【図面の簡単な説明】
【図１】外筒の縦断面図。
【図２】この発明の一実施例によるクリック機構を組込んだシリンダ錠の縦断面図。
【図３】キーガイドの側面図。
【符号の説明】
１  外筒
２  段部
３  キーガイド
４  タンブラー支持部
５  クリック凸部
６  クリック凹部
７  波形ワッシャー
８  押え板
９  止め輪
１１  合鍵
【図１】
2004278015.tif 000003
【図２】
2004278015.tif 000004
【図３】
2004278015.tif 000005